(57)【要約】【課題】作家及びユーザの双方に好適な形式でコンテンツを配信する。【解決手段】ユーザ端末２が、マガジンＩＤを指定してコンテンツ配信サーバ１に閲覧リクエスト送信する。コンテンツ配信サーバ１が、ユーザ端末２からマガジンＩＤを受信すると、マガジンＩＤに対応づけられた複数のシリーズに関連する複数のストーリーのデータを、ユーザ端末２に配信する。ユーザ端末２は、ストーリーのデータを受信して表示する。コンテンツ配信サーバ１は、ユーザ端末２にストーリーのデータを配信した後、配信されたストーリーのストーリーＩＤに対応づけられた投稿情報を、ユーザ端末２に配信する。【選択図】      図１
2015108936.tif 000002
【特許請求の範囲】
【請求項１】
ユーザ端末と、当該ユーザ端末に、ストーリーコンテンツを含むコンテンツを配信するコンテンツ配信サーバとを含むコンテンツ配信システムであって、
前記コンテンツ配信サーバは、
コンテンツを識別するコンテンツＩＤと、当該コンテンツに含まれるストーリーコンテンツのストーリーＩＤと、を対応づけた第１のレコードを含むコンテンツ属性データと、
ストーリーコンテンツを識別するストーリーＩＤと、当該ストーリーコンテンツが属するシリーズを識別するシリーズＩＤとを対応づけるストーリー属性データと、
を記憶する記憶装置と、
新たなコンテンツＩＤと、当該新たなコンテンツＩＤが識別するコンテンツに含まれる新たなストーリーコンテンツであって、前記第１のレコードが対応づけるストーリーＩＤとシリーズＩＤが共通し、前記第１のレコードのストーリーＩＤのストーリーコンテンツの続編の当該新たなストーリーコンテンツの新たなストーリーＩＤと、を対応づけた第２のレコードを作成して、前記コンテンツ属性データを更新するストーリー登録手段と、
ユーザ端末において指定されたコンテンツＩＤを当該ユーザ端末から受信すると、指定されたコンテンツＩＤに対応づけられたストーリーＩＤに関連するストーリーコンテンツのデータを、当該ユーザ端末に配信するコンテンツ配信手段と、を備え、
前記ユーザ端末は、
前記コンテンツＩＤを指定して前記コンテンツ配信サーバに送信し、指定されたコンテンツＩＤに対応づけられたストーリーＩＤに関連するストーリーコンテンツのデータを、前記コンテンツ配信サーバから受信して表示するコンテンツ閲覧手段を備える
ことを特徴とするコンテンツ配信システム。
【請求項２】
ユーザ端末に、ストーリーコンテンツを含むコンテンツを配信するコンテンツ配信サーバであって、
コンテンツを識別するコンテンツＩＤと、当該コンテンツに含まれるストーリーコンテンツのストーリーＩＤと、を対応づけた第１のレコードを含むコンテンツ属性データと、
ストーリーコンテンツを識別するストーリーＩＤと、当該ストーリーコンテンツが属するシリーズを識別するシリーズＩＤとを対応づけるストーリー属性データと、
を記憶する記憶装置と、
新たなコンテンツＩＤと、当該新たなコンテンツＩＤに関連するコンテンツに含まれる新たなストーリーコンテンツであって、前記第１のレコードが対応づけるストーリーＩＤとシリーズＩＤが共通し、前記第１のレコードのストーリーＩＤのストーリーコンテンツの続編の当該新たなストーリーコンテンツの新たなストーリーＩＤと、を対応づけた第２のレコードを作成して、前記コンテンツ属性データを更新するストーリー登録手段と、
コンテンツＩＤが指定されると、指定されたコンテンツＩＤに対応づけられたストーリーＩＤに関連するストーリーコンテンツのデータを、ユーザ端末に配信するコンテンツ配信手段
を備えることを特徴とするコンテンツ配信サーバ。
【請求項３】
前記コンテンツ配信手段は、指定されたコンテンツＩＤに対応づけられたストーリーコンテンツの目次を前記ユーザ端末に表示させ、当該ユーザ端末によって指定されたストーリーコンテンツのデータを、当該ユーザ端末に配信する
ことを特徴とする請求項２に記載のコンテンツ配信サーバ。
【請求項４】
前記記憶装置はさらに、ストーリーＩＤと、当該ストーリーＩＤのストーリーコンテンツに対してユーザ端末から投稿された投稿情報を対応づけて保持する投稿データを記憶し、
前記コンテンツ配信手段は、ユーザ端末にストーリーコンテンツのデータを配信した後、前記投稿データから、配信されたストーリーコンテンツのストーリーＩＤに対応づけられた投稿情報を、当該ユーザ端末に配信する
ことを特徴とする請求項２または３に記載のコンテンツ配信サーバ。
【請求項５】
前記コンテンツ配信手段によって、ユーザ端末にストーリーコンテンツが配信された後、当該ユーザ端末に、当該ストーリーコンテンツに関する投稿情報を入力させる投稿画面を表示させ、配信されたストーリーコンテンツのストーリーＩＤと、当該ユーザ端末の投稿画面で入力された投稿情報とを対応づけて、前記投稿データを更新する投稿処理手段
をさらに備えることを特徴とする請求項４に記載のコンテンツ配信サーバ。
【請求項６】
前記コンテンツ属性データは、コンテンツＩＤに、当該コンテンツの配信開始時期を対応づけて保持し、
前記コンテンツ配信手段は、ユーザ端末のユーザが所定の条件を満たし、かつ、指定されたコンテンツＩＤに対応づけられた配信開始時期より前でも、当該コンテンツを配信可能とする
ことを特徴とする請求項２ないし５のいずれか１項に記載のコンテンツ配信サーバ。
【請求項７】
ユーザ端末は、当該コンテンツ配信サーバに接続し、当該コンテンツ配信サーバからコンテンツを受信して表示するためのコンテンツ閲覧プログラムをインストールし、
ユーザ端末においてコンテンツ閲覧プログラムが起動され、前記コンテンツ配信サーバに接続すると、前記コンテンツ配信手段は、当該コンテンツ配信サーバに接続された時に対応する待機画像を、当該ユーザ端末に送信して当該コンテンツ閲覧プログラムに表示させる
ことを特徴とする請求項２ないし６のいずれか１項に記載のコンテンツ配信サーバ。
【請求項８】
コンテンツ配信サーバが、ユーザ端末に、ストーリーコンテンツを含むコンテンツを配信するコンテンツ配信方法であって、
前記コンテンツ配信サーバが、コンテンツを識別するコンテンツＩＤと、当該コンテンツに含まれるストーリーコンテンツのストーリーＩＤと、を対応づけた第１のレコードを含むコンテンツ属性データと、ストーリーコンテンツを識別するストーリーＩＤと、当該ストーリーコンテンツが属するシリーズを識別するシリーズＩＤとを対応づけるストーリー属性データを記憶装置に記憶するステップと、
前記ユーザ端末が、コンテンツＩＤを指定して前記コンテンツ配信サーバに閲覧リクエストを送信するステップと、
前記コンテンツ配信サーバが、ユーザ端末から指定されたコンテンツＩＤを受信すると、指定されたコンテンツＩＤに対応づけられたストーリーＩＤに関連するストーリーコンテンツのデータを、前記ユーザ端末に配信するステップと、
前記ユーザ端末が、指定されたコンテンツＩＤに対応づけられたストーリーＩＤに関連するストーリーコンテンツのデータを、前記コンテンツ配信サーバから受信して表示するステップと、
前記コンテンツ配信サーバが、新たなコンテンツＩＤと、当該新たなコンテンツＩＤに関連するコンテンツに含まれる新たなストーリーコンテンツであって、前記第１のレコードが対応づけるストーリーＩＤとシリーズＩＤが共通し、前記第１のレコードのストーリーＩＤのストーリーコンテンツの続編の当該新たなストーリーコンテンツの新たなストーリーＩＤと、を対応づけた第２のレコードを作成して、前記コンテンツ属性データを更新するステップ
を備えることを特徴とするコンテンツ配信方法。
【請求項９】
コンテンツ配信サーバに接続し、当該コンテンツ配信サーバから受信したデータを表示するするコンテンツ閲覧プログラムであって、
コンピュータを、
コンテンツ配信サーバから、コンテンツを構成する複数のストーリーコンテンツのデータを受信して表示し、一つのストーリーコンテンツのデータを表示した後、表示したストーリーコンテンツに関連する投稿情報を当該コンテンツ配信サーバから受信して表示するコンテンツ閲覧手段と、
前記コンテンツ閲覧手段によって、一つのストーリーコンテンツのデータが表示された後、当該ストーリーコンテンツに関する投稿情報を入力させる投稿画面を表示し、当該投稿画面で入力された投稿情報を、コンテンツ配信サーバに送信する投稿手段
として機能させることを特徴とするコンテンツ閲覧プログラム。
【発明の詳細な説明】
【技術分野】
【０００１】
本発明は、コンテンツの配信のためのコンテンツ配信システム、コンテンツ配信サーバ、コンテンツ配信方法およびコンテンツ閲覧プログラムに関する。
【背景技術】
【０００２】
従来、週刊雑誌や月刊雑誌などの逐次刊行物において、複数のシリーズの小説や漫画などを連載する形態が、一般的に普及している。例えば、一つの逐次刊行物は、Ａシリーズの第３話、Ｂシリーズの第５話、Ｃシリーズの第１８話を収容して、発行される。また、この逐次刊行物の次の発行のタイミングでは、Ａシリーズの第４話、Ｂシリーズの第６話、Ｃシリーズの第１９話の各ストーリーが収容されて、発行される。
【０００３】
このような複数のシリーズが掲載される逐次刊行物を一冊購入することで、ユーザは、複数の作家の複数の作品に出会い、ユーザの興味の高い作品を探し出す楽しみがある。ユーザは、興味の高いシリーズ以外のシリーズも併せて閲覧することができるので、逐次刊行物を継続して閲覧することにより、シリーズのストーリー展開などによっては、興味の低いシリーズにも新たに興味を持つ場合がある。また作家は、一つのシリーズを複数のストーリーにわけて連載することにより、既に発行されたストーリーに対するユーザの反応を鑑みながら、シリーズの内容を改変したりすることもできる。さらに、一つの逐次刊行物に複数の作家の複数の作品が含まれることにより、作家間の競争意識を起こし、よりよい作品を提供するモチベーションとなりうる。
【０００４】
一方、昨今の通信ネットワークおよび情報端末の発達に伴い、従来、紙媒体で配布されていた漫画などのコンテンツを、通信ネットワークを介して情報端末に配信するシステムが普及している。このようなシステムは、ユーザが個々のコンテンツを指定し、サーバは、指定されたコンテンツを、必要に応じて課金して、ユーザに配信する。このとき、一つの逐次刊行物に含まれる一つのシリーズの１話単位で、あるいは、一つのシリーズの第１話から最終話までの完結したシリーズの単位で、ユーザに配信される。このような配信は、既に逐次刊行物に掲載されたコンテンツには好適であり、雑誌などの書籍に連載されていた小説や漫画などを、タイトルや年代などから検索可能なシステムもある（例えば、特許文献１参照。）。
【先行技術文献】
【特許文献】
【０００５】
【特許文献１】特開２００９−１２９２１８号公報
【発明の概要】
【発明が解決しようとする課題】
【０００６】
しかしながら、従来の通信ネットワークおよび情報端末を用いたコンテンツ配信においては、新たなコンテンツの配信には適さない場合がある。
【０００７】
例えばユーザは、一つのシリーズの１話単位で、あるいは、シリーズの単位で配信するので、他のユーザの評価や既知の作家による作品であるか否か、などに基づいてコンテンツを閲覧するので、新たなコンテンツの閲覧に導きにくい問題がある。また従来の逐次刊行物の作家は、新たなコンテンツを配信するに際し、ユーザの反応は重要ではあるものの、従来の紙媒体の配信では、ユーザの反応を得るのに時間を要してしまい、ストーリーの作成にユーザの反応を反映しづらい場合がある。さらに、一つのシリーズの１話単位で、あるいは、シリーズの単位で配信する場合、従来の逐次刊行物と比べて、他の作家との競争意識が低くなり、作家のモチベーションを下げてしまう場合がある。
【０００８】
従って本発明の目的は、作家及びユーザの双方に好適な形式でコンテンツを配信することが可能なコンテンツ配信システム、コンテンツ配信サーバ、コンテンツ配信方法およびコンテンツ閲覧プログラムを提供することである。
【課題を解決するための手段】
【０００９】
上記課題を解決するために、本発明の第１の特徴は、ユーザ端末と、当該ユーザ端末に、ストーリーコンテンツを含むコンテンツを配信するコンテンツ配信サーバとを含むコンテンツ配信システムに関する。本発明の第１の特徴に係るコンテンツ配信システムにおいて、コンテンツ配信サーバは、コンテンツを識別するコンテンツＩＤと、当該コンテンツに含まれるストーリーコンテンツのストーリーＩＤと、を対応づけた第１のレコードを含むコンテンツ属性データと、ストーリーコンテンツを識別するストーリーＩＤと、当該ストーリーコンテンツが属するシリーズを識別するシリーズＩＤとを対応づけるストーリー属性データと、を記憶する記憶装置と、新たなコンテンツＩＤと、当該新たなコンテンツＩＤが識別するコンテンツに含まれる新たなストーリーコンテンツであって、第１のレコードが対応づけるストーリーＩＤとシリーズＩＤが共通し、第１のレコードのストーリーＩＤのストーリーコンテンツの続編の当該新たなストーリーコンテンツの新たなストーリーＩＤと、を対応づけた第２のレコードを作成して、コンテンツ属性データを更新するストーリー登録手段と、ユーザ端末において指定されたコンテンツＩＤを当該ユーザ端末から受信すると、指定されたコンテンツＩＤに対応づけられたストーリーＩＤに関連するストーリーコンテンツのデータを、当該ユーザ端末に配信するコンテンツ配信手段と、を備える。ユーザ端末は、コンテンツＩＤを指定してコンテンツ配信サーバに送信し、指定されたコンテンツＩＤに対応づけられたストーリーＩＤに関連するストーリーコンテンツのデータを、コンテンツ配信サーバから受信して表示するコンテンツ閲覧手段を備える。
【００１０】
本発明の第２の特徴は、ユーザ端末に、ストーリーコンテンツを含むコンテンツを配信するコンテンツ配信サーバに関する。本発明の第２の特徴に係るコンテンツ配信サーバは、コンテンツを識別するコンテンツＩＤと、当該コンテンツに含まれるストーリーコンテンツのストーリーＩＤと、を対応づけた第１のレコードを含むコンテンツ属性データと、ストーリーコンテンツを識別するストーリーＩＤと、当該ストーリーコンテンツが属するシリーズを識別するシリーズＩＤとを対応づけるストーリー属性データと、を記憶する記憶装置と、新たなコンテンツＩＤと、当該新たなコンテンツＩＤに関連するコンテンツに含まれる新たなストーリーコンテンツであって、第１のレコードが対応づけるストーリーＩＤとシリーズＩＤが共通し、第１のレコードのストーリーＩＤのストーリーコンテンツの続編の当該新たなストーリーコンテンツの新たなストーリーＩＤと、を対応づけた第２のレコードを作成して、コンテンツ属性データを更新するストーリー登録手段と、コンテンツＩＤが指定されると、指定されたコンテンツＩＤに対応づけられたストーリーＩＤに関連するストーリーコンテンツのデータを、ユーザ端末に配信するコンテンツ配信手段を備える。
【００１１】
ここでコンテンツ配信手段は、指定されたコンテンツＩＤに対応づけられたストーリーコンテンツの目次をユーザ端末に表示させ、当該ユーザ端末によって指定されたストーリーコンテンツのデータを、当該ユーザ端末に配信しても良い。
【００１２】
また、記憶装置はさらに、ストーリーＩＤと、当該ストーリーＩＤのストーリーコンテンツに対してユーザ端末から投稿された投稿情報を対応づけて保持する投稿データを記憶し、コンテンツ配信手段は、ユーザ端末にストーリーコンテンツのデータを配信した後、投稿データから、配信されたストーリーコンテンツのストーリーＩＤに対応づけられた投稿情報を、当該ユーザ端末に配信しても良い。
【００１３】
また、コンテンツ配信手段によって、ユーザ端末にストーリーコンテンツが配信された後、当該ユーザ端末に、当該ストーリーコンテンツに関する投稿情報を入力させる投稿画面を表示させ、配信されたストーリーコンテンツのストーリーＩＤと、当該ユーザ端末の投稿画面で入力された投稿情報とを対応づけて、投稿データを更新する投稿処理手段をさらに備えても良い。
【００１４】
また、コンテンツ属性データは、コンテンツＩＤに、当該コンテンツの配信開始時期を対応づけて保持し、コンテンツ配信手段は、ユーザ端末のユーザが所定の条件を満たし、かつ、指定されたコンテンツＩＤに対応づけられた配信開始時期より前でも、当該コンテンツを配信可能としても良い。
【００１５】
また、ユーザ端末は、当該コンテンツ配信サーバに接続し、当該コンテンツ配信サーバからコンテンツを受信して表示するためのコンテンツ閲覧プログラムをインストールしても良い。ユーザ端末においてコンテンツ閲覧プログラムが起動され、コンテンツ配信サーバに接続すると、コンテンツ配信手段は、当該コンテンツ配信サーバに接続された時に対応する待機画像を、当該ユーザ端末に送信して当該コンテンツ閲覧プログラムに表示させても良い。
【００１６】
本発明の第３の特徴は、コンテンツ配信サーバが、当該ユーザ端末に、ストーリーコンテンツを含むコンテンツを配信するコンテンツ配信方法に関する。本発明の第３の特徴に係るコンテンツ配信方法は、コンテンツ配信サーバが、コンテンツを識別するコンテンツＩＤと、当該コンテンツに含まれるストーリーコンテンツのストーリーＩＤと、を対応づけた第１のレコードを含むコンテンツ属性データと、ストーリーコンテンツを識別するストーリーＩＤと、当該ストーリーコンテンツが属するシリーズを識別するシリーズＩＤとを対応づけるストーリー属性データを記憶装置に記憶するステップと、ユーザ端末が、コンテンツＩＤを指定してコンテンツ配信サーバに閲覧リクエストを送信するステップと、コンテンツ配信サーバが、ユーザ端末から指定されたコンテンツＩＤを受信すると、指定されたコンテンツＩＤに対応づけられたストーリーＩＤに関連するストーリーコンテンツのデータを、ユーザ端末に配信するステップと、ユーザ端末が、指定されたコンテンツＩＤに対応づけられたストーリーＩＤに関連するストーリーコンテンツのデータを、コンテンツ配信サーバから受信して表示するステップと、コンテンツ配信サーバが、新たなコンテンツＩＤと、当該新たなコンテンツＩＤに関連するコンテンツに含まれる新たなストーリーコンテンツであって、第１のレコードが対応づけるストーリーＩＤとシリーズＩＤが共通し、第１のレコードのストーリーＩＤのストーリーコンテンツの続編の当該新たなストーリーコンテンツの新たなストーリーＩＤと、を対応づけた第２のレコードを作成して、コンテンツ属性データを更新するステップを備える。
【００１７】
本発明の第４の特徴は、コンテンツ配信サーバに接続し、当該コンテンツ配信サーバから受信したデータを表示するするコンテンツ閲覧プログラムに関する。本発明の第４の特徴に係るコンテンツ閲覧プログラムは、コンピュータを、コンテンツ配信サーバから、コンテンツを構成する複数のストーリーコンテンツのデータを受信して表示し、一つのストーリーコンテンツのデータを表示した後、表示したストーリーコンテンツに関連する投稿情報を当該コンテンツ配信サーバから受信して表示するコンテンツ閲覧手段と、コンテンツ閲覧手段によって、一つのストーリーコンテンツのデータが表示された後、当該ストーリーコンテンツに関する投稿情報を入力させる投稿画面を表示し、当該投稿画面で入力された投稿情報を、コンテンツ配信サーバに送信する投稿手段として機能させる。
【発明の効果】
【００１８】
本発明によれば、作家及びユーザの双方に好適な形式でコンテンツを配信することが可能なコンテンツ配信システム、コンテンツ配信サーバ、コンテンツ配信方法およびコンテンツ閲覧プログラムを提供することができる。
【図面の簡単な説明】
【００１９】
【図１】本発明の実施の形態に係るコンテンツ配信システムのシステム構成と、コンテンツ配信サーバおよびユーザ端末の機能ブロックを説明する図である。
【図２】本発明の実施の形態に係るコンテンツ配信システムで配信されるマガジンの一例を説明する図である。
【図３】本発明の実施の形態に係るコンテンツ配信サーバが保持するデータのデータ構造の一例を説明する図である。
【図４】本発明の実施の形態に係るコンテンツ配信システムの処理を説明するシーケンス図である。（その１）
【図５】本発明の実施の形態に係るコンテンツ配信システムの処理を説明するシーケンス図である。（その２）
【図６】図６（ａ）は、本発明の実施の形態に係るユーザ端末が表示する待機画像表示画面の一例を説明する図であって、図６（ｂ）は、本発明の実施の形態に係るユーザ端末が表示する目次表示画面の一例を説明する図である。
【図７】図７（ａ）は、本発明の実施の形態に係るユーザ端末が表示する投稿画面の一例を説明する図であって、図７（ｂ）は、本発明の実施の形態に係るユーザ端末が表示するイラスト投稿画面の一例を説明する図である。
【発明を実施するための形態】
【００２０】
次に、図面を参照して、本発明の実施の形態を説明する。以下の図面の記載において、同一または類似の部分には同一または類似の符号を付している。
【００２１】
（コンテンツ配信システム）
図１に示すように、本発明の実施の形態に係るコンテンツ配信システム５は、ユーザ端末２と、ユーザ端末２に、ストーリーコンテンツを含むコンテンツを配信するコンテンツ配信サーバ１、およびコンテンツの作者が利用する作家端末３を備える。コンテンツ配信サーバ１は、ユーザ端末２および作家端末３と、インターネットなどの通信ネットワーク４を介して相互に通信可能に接続される。図１に示す例でコンテンツ配信システム５は、３台のユーザ端末２および２台の作家端末３を備えるが、各端末の数はこれに限らない。また、コンテンツ配信サーバ１は、１台の物理的なコンピュータにより機能が実装される場合を説明するが、仮想システムや分散システムなどにより、複数のコンピュータにより機能が実装されても良い。
【００２２】
本発明の実施の形態に係るコンテンツ配信システム５は、複数のストーリーコンテンツを連載する電子的なマガジンを実現するコンテンツ属性データを、通信ネットワーク４を介して配信する。本発明の実施の形態においてマガジンは、表表紙から複数のストーリーコンテンツを読み進む、仮想的な逐次刊行物を実現する。コンテンツ配信システム５がコンテンツを配信する単位を、「マガジン」と称する。また、マガジンを構成するストーリーコンテンツを、「ストーリー」と称する。また、ここで、複数のストーリーコンテンツを連結することで形成される作品を、「シリーズ」と称する。本発明の実施の形態において「マガジン」は、複数のシリーズのそれぞれから選択された複数のストーリーを収録する。
【００２３】
本発明の実施の形態は、漫画コンテンツを電子的に配信するものであって、「ストーリー」は、連載漫画の一部である場合を説明する。従って、ストーリーは、漫画１ページに相当する画像データの集合により形成される。他の例として、「ストーリー」は、小説の一部であって、文字データの集合により形成されても良い。
【００２４】
本発明の実施の形態に係るマガジンは、図２に示すように、マガジンの表紙と、このマガジンに収容される複数のストーリーと、各ストーリーに対する投稿ページと、裏表紙とを含む。各ストーリーは、例えば図２に示すように、Ａシリーズの最終話、Ｂシリーズの第５話およびＣシリーズの第１８話である。
【００２５】
このマガジンが収容するストーリーの順序は、予め、所定の手順で決定される。例えば、順序は、コンテンツ配信サーバ１が算出しても良いし、コンテンツ配信事業者などにより決定されても良い。また、コンテンツ配信サーバ１が算出する場合、コンテンツ配信サーバ1は例えば、前回配信されたマガジンや、直近配信された所定回数のマガジンにおける、ユーザからの評価からポイントを算出し、ポイントの高い順に並べる。評価のポイントは、入力された点数の平均値や投稿されたイラストの数などに基づいて算出される。
【００２６】
例えば、新たなマガジンを編成し、収録するストーリーの順序を決定する際、Ａシリーズの最終話の一つ前の５５話のポイントが１００ポイント、Ｂシリーズの第４話のポイントが５０ポイント、およびＣシリーズの第１７話のポイントが２０ポイントの場合、Ａシリーズの最終話、Ｂシリーズの第５話およびＣシリーズの第１８話の順で、新たなマガジンが編成される。
【００２７】
ここでコンテンツ配信サーバ１は、最終回や新連載のストーリーについて、８０点などの所定のポイントを追加するなどにより、ポイントを補正して算出しても良い。例えば、図２に示す例で、Ａシリーズの最終話の一つ前の５５話のポイントが１００ポイントの場合、新に配信するマガジンに収録されるストーリーは最終回であるので、１００ポイントに８０点が追加され、１８０ポイントと算出される。
【００２８】
また、マガジンが収容するストーリーの順序は、ユーザ毎に異なっても良く、例えば、ユーザの嗜好度に応じてストーリーの順序をユーザ毎に変更してもよい。この場合、コンテンツ配信サーバ１は、ユーザの利用履歴や評価入力などに応じて、各ユーザについて、シリーズ毎の嗜好度を算出する。例えば、ユーザの嗜好度の高いシリーズの順に、マガジンが、ストーリーを収容するよう、制御されても良い。
【００２９】
本発明の実施の形態において、逐次刊行物の様に、逐次新たなマガジンが配信可能に制御される。例えば、図２に示すマガジンが配信された後、所定期間が経過後、Ｄシリーズの第１話、Ｂシリーズの第６話およびＣシリーズの第１９話を含む新たなマガジンが配信可能に制御される。各マガジンは、ユーザへの配信開始時期が設定される。マガジンは、先に配信されたマガジンの配信開始時期よりも後に配信が開始されるように制御される。マガジンが配信される頻度は、週に一度、月に一度、季節に一度など、適宜設定される。ユーザはこのようなマガジンが継続して配信されることにより、複数のシリーズの作品を、連載作品として逐次閲覧することができる。
【００３０】
また本発明の実施の形態に係るマガジンの各ストーリーに対する投稿ページは、ストーリー閲覧後に表示されるように制御される。各投稿ページは、各ストーリーに対するユーザの反応である評価情報を表示する。この評価情報は、イラスト、コメント、点数評価などである。各投稿ページは、マガジンの配信開始時期にかかわらず、ユーザ端末２にストーリーが配信されたタイミングで動的に生成される。
【００３１】
マガジンの各ストーリーがユーザ端末２に配信されると、ユーザに評価などを投稿させる投稿画面を、ユーザ端末２に表示する。この投稿画面において、ユーザにより入力された、閲覧したストーリーに対する投稿情報は、コンテンツ配信サーバ１に送信される。コンテンツ配信サーバ１は、受信した投稿情報を、ストーリーの識別子に対応づけて保持する。この後、このストーリーが配信されると、最新の評価情報を反映した投稿ページをユーザ端末２に配信する。
【００３２】
本発明の実施の形態においてマガジンは、所定の配信可能時期以降に配信可能に制御されるが、ユーザによって、配信可能時期を変えても良い。例えば、所定の課金条件を満たしたユーザに対しては、そのほかのユーザと比べて、配信可能時期が１週間などの所定期間早く設定されても良い。
【００３３】
（コンテンツ配信サーバ）
図１を参照して、本発明の実施の形態に係るコンテンツ配信サーバ１を説明する。コンテンツ配信サーバ１は、記憶装置１０、処理制御装置２０および通信制御装置３０を備える一般的なコンピュータである。一般的なコンピュータが所定の処理を実行させるためのコンテンツ配信プログラムを実行することにより、図１の処理制御装置２０は、各手段として機能する。通信制御装置３０は、通信ネットワーク４に接続するためのインタフェースである。
【００３４】
記憶装置１０は、コンテンツ配信プログラムを記憶するとともに、マガジン属性データ１１、ストーリー属性データ１２、作家データ１３、シリーズデータ１４、イラスト投稿データ１５およびレビュー投稿データ１６を記憶する。
【００３５】
マガジン属性データ１１は、マガジンを識別するマガジンＩＤと、当該マガジンに含まれるストーリーのストーリーＩＤと、を対応づけたレコードを含む。マガジン属性データ１１のレコードはさらに、図３（ａ）に示すように、マガジンＩＤに、マガジンタイトル、表紙画像、アイコン、無料期間の情報、配信開始時期などが対応づけられる。「無料期間の情報」は、このマガジンを課金なくユーザ端末に配信可能な期間に関する情報である。「配信開始時期」は、マガジンの配信を開始できる時に関する情報で、ユーザの属性に応じて、設定されても良い。例えば、課金したユーザや、会員期間の長いユーザの配信開始時期は、そのほかのユーザの配信開始時期より早くなるように、設定されても良い。マガジン属性データ１１は、ユーザがマガジンを検索する際や、マガジンの概要を表示する際などに参照される。
【００３６】
ストーリー属性データ１２は、ストーリーを識別するストーリーＩＤと、当該ストーリーが属するシリーズを識別するシリーズＩＤとを対応づける。ストーリー属性データ１２はさらに、図３（ｂ）に示すように、ストーリーＩＤに、ストーリータイトル、画像の情報、作家ＩＤおよびシリーズＩＤなどが対応づけられる。「画像の情報」は、漫画の一話を構成する複数の画像データを特定可能なＵＲＬや、ストーリーにおける画像データの数である。ユーザ端末２において、一つのストーリーを構成する各画像データを逐次ダウンロードできれば、画像の情報は、どのように設定されても良い。ストーリー属性データ１２は、ユーザ端末２にマガジンの目次を表示する際や、ユーザ端末２がストーリーの画像をコンテンツ配信サーバ１に要求する際などに参照され、または、ユーザ端末２に提供される。
【００３７】
作家データ１３は、コンテンツを提供する作家に関するデータである。作家データ１３は、例えば図３（ｃ）に示すように、作家ＩＤに、作家のペンネーム、コンテンツ配信サーバ１にアクセスするためのメールアドレスやパスワード、報酬の支払い情報を対応づけたデータである。
【００３８】
シリーズデータ１４は、コンテンツ配信サーバ１が提供するコンテンツのシリーズに関するデータである。シリーズデータ１４は、例えば図３（ｄ）に示すように、シリーズＩＤに、シリーズタイトル、このシリーズを製作する作家ＩＤを対応づけたデータである。
【００３９】
イラスト投稿データ１５およびレビュー投稿データ１６は、ストーリーＩＤと、ストーリーＩＤのストーリーコンテンツに対してユーザ端末２から投稿された投稿情報を対応づけて保持するデータである。イラスト投稿データ１５は、投稿情報としての投稿イラスト画像のＵＲＬと、投稿先の対象ストーリーＩＤと、投稿したユーザの投稿者ＩＤとを対応づける。レビュー投稿データ１６は、投稿情報としての評価の点数やコメントのデータと、投稿先の対象ストーリーＩＤと、投稿したユーザの投稿者ＩＤとを対応づける。
【００４０】
また記憶装置１０は、図示しないが、ストーリーのデータに関する画像を保持する。コンテンツが漫画の場合、漫画１ページを１つの画像データとして保持し、画像データは、ＵＲＬなどによって特定される。各画像データのＵＲＬは、ストーリー属性データ１２の画像情報により保持される。
【００４１】
さらに記憶装置１０は、図示しないが、ユーザの識別子と、このユーザの課金状況などを対応づけたユーザデータを記憶しても良い。このユーザデータは、ユーザが過去に閲覧したマガジンのマガジンＩＤや、投稿情報などを対応づけて保持しても良い。
【００４２】
処理制御装置２０は、ストーリー登録手段２１、マガジン検索手段２２、マガジン配信手段（コンテンツ配信手段）２３および投稿処理手段２４を備える。
【００４３】
ストーリー登録手段２１は、作家端末３から送信されたストーリーを、記憶装置１０に登録する。ストーリー登録手段２１は、作家端末３からストーリーの画像データと、作家ＩＤ、ストーリーが属するシリーズＩＤなどを受信すると、受信した画像データを記憶装置１０に保持するとともに、当該ストーリーにストーリーＩＤを採番し、ストーリー属性データ１２に対応づけて保持する。
【００４４】
ここでストーリー登録手段２１は、一つのシリーズについて連載される複数のストーリーを登録する。例えば、マガジン属性データ１１が、第１のレコードと、第１のレコードが登録された後に、登録され作成された第２のレコードとを保持する場合を考える。この第１のレコードと第２のレコードは、ストーリーＩＤが異なるもののシリーズＩＤが共通する場合、第２のレコードのストーリーＩＤが示すストーリーは、第１のレコードのストーリーＩＤが示すストーリーの続編である。
【００４５】
ここでストーリーをマガジンに収録して配信する際、マガジン属性データ１１に新たなレコードが挿入される。コンテンツ配信サーバ１は、新しく配信するマガジンについて、マガジンＩＤを採番し、このマガジンに収録するストーリーＩＤ、このストーリーを構成する画像の情報、配信開始時期などを対応づけて保持する。
【００４６】
マガジン検索手段２２は、ユーザ端末２からマガジンの検索条件が入力されると、記憶装置１０に記憶される各データを参照して入力された検索条件に合致するマガジンを特定して、特定されたマガジンの情報をユーザ端末２に返す。検索条件は、例えば、マガジンタイトル、作家のペンネーム、シリーズタイトル、無料配信可能か否かなどである。またマガジン検索手段２２は、レビュー投稿データ１６の点数に基づいて、ランキング上位のマガジンの情報をユーザ端末２に送信しても良い。さらにマガジン検索手段２２、ユーザデータの閲覧履歴に基づいて、直近で閲覧したマガジンの情報をユーザ端末２に送信しても良い。
【００４７】
ここでマガジン検索手段２２は、このユーザが閲覧可能なマガジンから、検索条件に合致するマガジンを特定する。例えばマガジン検索手段２２は、配信開始時期やユーザの課金状況などに基づいて、ユーザに配信可能なマガジンから、検索条件を満たすマガジンを特定する。
【００４８】
マガジン検索手段２２は、検索条件に合致するマガジンを特定すると、そのマガジンＩＤをユーザ端末２に表示し、ユーザに、いずれのマガジンの配信を希望するか指定させる。
【００４９】
マガジン配信手段２３は、ユーザ端末２において指定されたマガジンＩＤを当該ユーザ端末２から受信すると、指定されたマガジンＩＤに対応づけられたストーリーＩＤに関連するストーリーのデータを、当該ユーザ端末２に配信する。
【００５０】
ここでマガジン配信手段２３は、ユーザの課金状況やマガジンの配信開始時期を参照する。例えば、課金なしにマガジンを配信可能な場合、マガジン配信手段２３は、配信開始時期以降の場合、このマガジンをユーザ端末２に配信する。また、所定の条件を満たす場合に、他のユーザに先駆けてマガジンを配信可能な場合も考えられる。この場合、マガジン配信手段２３は、ユーザ端末２のユーザが所定の課金条件を満たし、かつ、指定されたマガジンＩＤに対応づけられた配信開始時期より前でも、当該マガジンを配信可能とする。マガジン配信手段２３は、例えば、課金や会員期間などの所定条件を満たしたユーザは、他のユーザより、配信可能時期より所定期間前以降に、具体的には、配信可能時期より１週間早く閲覧できるように制御される。これにより所定条件を満たしたユーザは、他のユーザが閲覧可能な配信可能期間の1週間前から、マガジンを閲覧できる。
【００５１】
またマガジン配信手段２３は、ユーザ端末２において指定されたマガジンＩＤに対応づけられたストーリーの目次をユーザ端末２に表示させ、当該ユーザ端末２によって指定されたコンテンツのデータを、当該ユーザ端末２に配信する。
【００５２】
マガジン配信手段２３は、ユーザ端末２によってマガジンＩＤが指定されると、マガジン属性データ１１から、その指定されたマガジンＩＤに対応づけられたマガジンのタイトル、ストーリーＩＤの一覧などを取得する。さらにマガジン配信手段２３は、ストーリー属性データ１２やシリーズデータ１４などから、取得したストーリーＩＤのストーリータイトルや、ストーリーＩＤに対応づけられたシリーズＩＤのシリーズタイトルなどを抽出する。マガジン配信手段２３は、これらのデータをユーザ端末２に送信して、ユーザ端末２に、マガジンの目次情報を表示させ、ユーザに、表示された目次情報から所望のストーリーを選択させ、閲覧させることを可能とする。
【００５３】
ここでマガジン配信手段２３は、マガジンＩＤに対応づけられたストーリーの画像の情報を対応づけてユーザ端末２に送信しても良い。ユーザの閲覧に伴って、ユーザ端末２からストーリーの画像が要求されると、マガジン配信手段２３は、要求された画像をユーザ端末２に送信することができる。
【００５４】
またマガジン配信手段２３は、ユーザ端末２にストーリーのデータを配信した後、イラスト投稿データ１５およびレビュー投稿データ１６から、配信されたストーリーコンテンツのストーリーＩＤに対応づけられた投稿情報を、ユーザ端末２に配信する。マガジン配信手段２３は、ユーザ端末２に、一つのストーリーの画像の全てを配信した後、そのストーリーに関して、それ以前に各ユーザによって入力された投稿情報を、ユーザ端末２に送信する。ここで、投稿情報は、ユーザが、ストーリーを最後まで閲覧した後に表示されるように制御される。
【００５５】
また、マガジン配信手段２３は、ユーザ端末２から接続された際、接続された時に対応する待機画像を、ユーザ端末２に送信する。この待機画像は、配信時と対応づけて、予め記憶装置１０に記憶される画像である。具体的には、ユーザ端末２においてコンテンツ閲覧プログラムが起動され、コンテンツ閲覧プログラムによってユーザ端末２は、コンテンツ配信サーバ１に接続する。ここでマガジン配信手段２３は、コンテンツ配信サーバ１に接続された時に対応する待機画像を、ユーザ端末２に送信してコンテンツ閲覧プログラムに表示させる。この待機画像は、例えば、日替わりで変わるものでも良いし、季節や時刻で変わるものでも良い。
【００５６】
投稿処理手段２４は、ユーザ端末２から送信された投稿情報を、イラスト投稿データ１５やレビュー投稿データ１６に保持する。投稿処理手段２４は、マガジン配信手段２３によって、ユーザ端末２にストーリーが配信された後、ユーザ端末２に、当該ストーリーに関する投稿情報を入力させる投稿画面を表示させる。投稿処理手段２４は、配信されたストーリーのストーリーＩＤと、当該ユーザ端末２の投稿画面で入力された投稿情報とを対応づけて、投稿データを更新する。ここで投稿処理手段２４は、ユーザがイラストで投稿した場合、ストーリーＩＤと、ユーザのＩＤと、投稿されたイラスト画像を対応づけて、イラスト投稿データ１５を更新する。また投稿処理手段２４は、ユーザが、点数やコメントで投稿した場合、ストーリーＩＤと、ユーザのＩＤと、投稿された点数またはコメントを対応づけて、レビュー投稿データ１６を更新する。
【００５７】
（ユーザ端末）
ユーザ端末２は、ユーザが利用するパーソナルコンピュータ、タブレット端末、スマートフォンなどであって、入力装置、出力装置、記憶装置、処理制御装置、通信制御装置などを備える一般のコンピュータである。ここで、入力装置および出力装置は、タッチパネルディスプレイにより実現されても良い。記憶装置は、コンテンツ配信サーバ１から配信されるマガジンを、ユーザが閲覧するためのコンテンツ閲覧プログラムを記憶する。インストール後、処理制御装置がコンテンツ閲覧プログラムを実行することにより、処理制御装置は、マガジン閲覧手段（コンテンツ閲覧手段）２０１および投稿手段２０２として機能する。
【００５８】
マガジン閲覧手段２０１は、コンテンツ配信サーバ１に接続し、当該コンテンツ配信サーバ１からマガジンを受信して表示する。マガジン閲覧手段２０１は、マガジンＩＤを指定してコンテンツ配信サーバ１に送信し、指定されたマガジンＩＤに対応づけられたストーリーＩＤに関連するストーリーのデータを、コンテンツ配信サーバ１から受信して表示する。
【００５９】
マガジン閲覧手段２０１は、例えば、入力装置により所望のマガジンを検索するための検索条件が入力されると、検索条件をコンテンツ配信サーバ１に送信し、コンテンツ配信サーバ１から検索条件に合致するマガジンの情報を取得する。ユーザが、取得したマガジンの情報から、所望のマガジンを選択すると、マガジン閲覧手段２０１は、ユーザによって選択されたマガジンのマガジンＩＤをコンテンツ配信サーバ１に送信し、コンテンツ配信サーバ１から、このマガジンを閲覧するための目次情報を取得する。マガジン閲覧手段２０１は、取得した目次情報を、ディスプレイなどに表示する。この目次情報は、マガジンに収録されるストーリーの一覧である。また目次情報として、各ストーリーに、このストーリーを閲覧するための画像の情報が対応づけられても良い。
【００６０】
マガジン閲覧手段２０１は、表示された目次情報から所望のストーリーが選択されると、このストーリーを閲覧するリクエストをコンテンツ配信サーバ１に送信する。具体的にはマガジン閲覧手段２０１は、このストーリーの最初の画像の情報に基づいて、最初の画像のリクエストをコンテンツ配信サーバ１に送信し、最初の画像を受信して記憶装置に記憶する。このときマガジン閲覧手段２０１は、先読みとして、２ページ目および３ページ目と、このストーリーの直前のストーリーの最終ページの画像のリクエストをコンテンツ配信サーバ１に送信し、これらの画像を受信して記憶装置に記憶する。マガジン閲覧手段２０１は、ユーザのページを進めたり戻したりする操作に基づいて、適宜適切なページをディスプレイに表示する。またマガジン閲覧手段２０１は、ユーザの操作に応じて、新たな画像のリクエストをコンテンツ配信サーバ１に送信し、画像を受信し記憶する。
【００６１】
またマガジン閲覧手段２０１は、コンテンツ閲覧プログラムが起動されたタイミングなどにおいて、コンテンツ配信サーバ１に接続し、接続された時に対応する待機画像を受信し、表示する。
【００６２】
またマガジン閲覧手段２０１は、一つのストーリーの全ての画像を表示した後、このストーリーのストーリーＩＤをコンテンツ配信サーバ１に送信して、このストーリーに関連する投稿情報を要求する。マガジン閲覧手段２０１は、投稿情報を受信すると、受信した投稿情報を閲覧情報に表示する。
【００６３】
投稿手段２０２は、ユーザが閲覧したストーリーに関する投稿情報を入力させる投稿画面を表示し、投稿画面で入力された投稿情報を、コンテンツ配信サーバ１に送信する。投稿手段２０２は、ユーザによって投稿情報を入力する指示が入力されると、投稿手段２０２は、投稿情報を入力するための画面をディスプレイに表示する。また、入力された投稿情報を、ストーリーＩＤと対応づけてコンテンツ配信サーバ１に送信する。
【００６４】
（作家端末）
作家端末３は、ストーリーの作家が利用するコンピュータである。作家端末３は、ウェブブラウザなど、コンテンツ提供サーバ１にアクセス可能なプログラムがインストールされている。作家は、ストーリーを完成させると、作家端末３を介して、完成したストーリーの画像、ストーリータイトル、このストーリーが属するシリーズＩＤを、ウェブブラウザなどを介してコンテンツ配信サーバ１に送信する。
【００６５】
作家端末３は、コンテンツ配信サーバ１などから、送信したストーリーに対する修正指示などを受信し、作家に表示するよう制御しても良い。この修正指示は、ストーリーの画像に、指摘箇所を特定する情報や、指摘内容を含む。作家端末３は、指摘箇所を特定する情報を、ストーリーの画像に重畳し、指摘内容を指摘箇所に対応づけて表示する。
【００６６】
（コンテンツ配信方法）
図４および図５を参照して本発明の実施の形態に係るコンテンツ配信方法を説明する。また、図６および図７を参照して、ユーザ端末２に表示される画面も併せて説明する。
【００６７】
図４のステップＳ１０１において、ユーザ端末２においてコンテンツ閲覧プログラムが起動する指示が入力されると、ユーザ端末２は、図１に示す各手段を実装するとともに、ステップＳ１０２においてコンテンツ配信サーバ１にログインリクエストを送信する。このときユーザ端末２は、コンテンツ閲覧プログラムによって特定されるＵＲＬに接続する。
【００６８】
コンテンツ配信サーバ１は、ユーザ端末２からログインリクエストが送信されると、ステップＳ１０３において、「本日の待機画像」を表示するＵＲＬにジャンプさせ、ステップＳ１０４において、待機画像をユーザ端末２に送信する。ユーザ端末２は、ステップＳ１０５において、コンテンツ配信サーバ１から受信した待機画像を、ディスプレイに表示する。その結果、図６（ａ）に示すような待機画像表示画面Ｐ１が、ユーザ端末２に設けられる。
【００６９】
なお他の例として、コンテンツ閲覧プログラムが起動されると、ステップS１０２において、ユーザ端末２は、「本日の待機画像」を表示するＵＲＬに接続しても良い。
【００７０】
またコンテンツ配信サーバ１は、ステップＳ１０６において、送信元のユーザ端末２を認証し、ユーザの課金情報などの属性を取得する。ここでコンテンツ配信サーバ１は、このユーザのセッションを特定するための認証用トークンと、ユーザの属性と紐づけ、ステップＳ１０７において、認証用トークンをユーザ端末２に送信するとともに、検索条件を入力するための検索画面を、ユーザ端末２に表示する。この認証用トークンは例えば、ｓｈａ２５６ハッシュによる署名が添えられており、改ざんがなされないように制御される。ユーザ端末２は、ログアウトまたはタイムアウトするまで、認証用トークンを付加してコンテンツ配信サーバ１にデータを送信することで、コンテンツ配信サーバ１は、ユーザの属性に基づいて、コンテンツを配信することができる。
【００７１】
検索画面にマガジンの検索条件が入力されると、ステップＳ１０８においてユーザ端末２は、入力された検索条件をコンテンツ配信サーバ１に送信する。ステップＳ１０９においてコンテンツ配信サーバ１は、記憶装置１０に記憶された各データを参照して、検索条件に合致するマガジンを検索し、ステップＳ１１０において、その結果をユーザ端末２に送信する。具体的にはコンテンツ配信サーバ１は、検索されたマガジンのマガジンＩＤと、検索されたマガジンの概要となるタイトル、表紙画像などを、ユーザ端末２に送信する。ステップＳ１０９において複数のマガジンが検索された場合、コンテンツ配信サーバ１は、ぞれぞれのマガジンについて、マガジンＩＤと概要を送信する。
【００７２】
ステップＳ１１１においてユーザ端末２は、ステップＳ１１０で受信した検索結果を、ディスプレイに表示し、ユーザが閲覧を希望するマガジンを選択させる。ユーザによって閲覧を希望するマガジンが選択されると、ユーザ端末２はステップＳ１１２において、ユーザによって選択されたマガジンのマガジンＩＤと閲覧リクエストを、コンテンツ配信サーバ１に送信する。
【００７３】
ユーザ端末２から閲覧リクエストを受信すると、コンテンツ配信サーバ１はステップＳ１１３において、閲覧対象のマガジンの目次情報を抽出する。この目次情報は、マガジンに収録される各ストーリーの情報と、各ストーリーを構成する画像の情報とを含む。コンテンツ配信サーバ１は、ステップＳ１１４において、ステップＳ１１３で抽出した目次情報をユーザ端末２に送信する。
【００７４】
ステップＳ１１５においてユーザ端末２は、ステップＳ１１４で受信した目次情報に基づいて、図６（ｂ）に示すような目次表示画面Ｐ２を表示する。目次表示画面Ｐ２においては、一つのマガジンに含まれる各ストーリーのシリーズ名や作家などの情報が表示される。目次表示画面Ｐ２に表示される情報は、適宜設定されても良い。ここで、目次表示画面Ｐ２に表示される各目次に、各目次に対応する画像を取得するためのＵＲＬなどの情報が対応づけられる。
【００７５】
ここで、目次から所定のストーリーが選択されると、ユーザ端末２は、図５のステップＳ２０１に示すように、閲覧リクエストを送信する。この閲覧リクエストは、選択されたストーリーの先頭の画像を取得するためのＵＲＬが含まれる。このとき、画像を先読みするために、２ページ目や３ページ目以降の画像の情報を取得するＵＲＬも併せて送信されても良い。またユーザのページ戻り指示に対応するために、選択されたストーリーの直前に収録されるコンテンツの最終ページの画像を取得するＵＲＬも併せて送信されてもよい。ステップＳ２０２においてコンテンツ配信サーバ１は、閲覧リクエストが送信されると、閲覧ＵＲＬに対応する画像を抽出して、ステップＳ２０３において、検索された画像をユーザ端末２に送信する。
【００７６】
ステップＳ２０４においてユーザ端末２は、コンテンツ配信サーバ１から送信された画像を記憶装置に蓄積し、ステップＳ２０５において、ユーザのページを進ませる指示やページを戻らせる指示に応じて、指示に対応して選択された画像を、ディスプレイに表示する。
【００７７】
ステップＳ２０６においてユーザ端末２は、ストーリーの最終ページまで画像データを表示したと判定されるまで、ステップＳ２０１ないしステップＳ２０５の処理を繰り返す。ストーリーの最終ページまで画像が表示されると、ステップＳ２０７に進む。
【００７８】
ここで、図４のステップＳ１１４で送信される目次情報に、閲覧用トークンが含まれても良い。ユーザ端末２が、コンテンツ配信サーバ１に画像をリクエストする際、閲覧用トークンを含ませることにより、コンテンツ配信サーバ１は、閲覧用トークンを含むリクエストに対してのみ、画像を提供するように制御することができる。これにより、ストーリーを構成する画像のＵＲＬが第三者に漏洩したとしても、画像そのものが漏洩することを回避することができる。
【００７９】
ステップＳ２０７においてユーザ端末２は、直前で閲覧していたストーリーに関して、投稿閲覧リクエストをコンテンツ配信サーバ１に送信する。この投稿閲覧リクエストには、直前で閲覧していたストーリーのストーリーＩＤを含む。
【００８０】
ステップＳ２０８においてコンテンツ配信サーバ１は、ステップＳ２０７で受信した投稿閲覧リクエストに含まれるストーリーＩＤに対応づけられた投稿を、イラスト投稿データ１５およびレビュー投稿データ１６から抽出する。ステップＳ２０９においてコンテンツ配信サーバ１は、抽出した投稿をユーザ端末２に送信し、図７（ａ）に示す投稿画面Ｐ３を、ユーザ端末２に表示させる。この投稿画面Ｐ３には、投稿されたイラストまたはコメントを表示するための切り替えタブＴと、切り替えタブＴで選択されたイラストまたはコメントを表示する投稿表示部Ｐ３１が設けられる。
【００８１】
投稿表示部Ｐ３１は、他のユーザから投稿された最新の投稿情報を表示するよう制御される。投稿表示部Ｐ３１は、図７（ａ）に示すように、切り替えタブＴで「イラスト」が選択された場合、イラスト投稿データ１５の投稿イラスト画像が一覧で表示される。投稿表示部Ｐ３１内で下方向にスクロールするなどにより、複数のイラスト画像が表示される。また投稿表示部Ｐ３１は、切り替えタブＴで「コメント」が選択された場合、レビュー投稿データ１６のコメントや点数などを表示したり、点数の平均値を表示したりする。
【００８２】
また、投稿画面Ｐ３には、ユーザが点数を入力する点数入力部Ｐ３２と、コメントを入力するコメント入力部Ｐ３３と、入力された点数およびコメントをコンテンツ配信サーバ１に送信するコメント投稿ボタンＢ１も設けられる。点数入力部Ｐ３２は、「★★★★☆」などの星数の評価として、ユーザに入力させても良い。
【００８３】
投稿画面Ｐ３に、イラスト投稿ボタンＢ２も設けられる。イラスト投稿ボタンＢ２が選択されると、図７（ｂ）に示すイラスト投稿画面Ｐ４がユーザ端末２に表示される。イラスト投稿画面Ｐ４では、ユーザが指やマウスなどにより、イラスト入力部Ｐ４１にイラストを描画する。このイラスト投稿画面Ｐ４には、イラスト入力部Ｐ４１を拡大縮小して表示するためのアイコン、アンドゥを指示するアイコン、ペンの太さや色を変えるアイコン、描画か消去かを選択するアイコンなどが設けられても良い。
【００８４】
ユーザは、図７に示す画面にコメントやイラストを入力すると、ステップＳ２１０においてユーザ端末２は、ユーザによって入力されたコメントやイラストの投稿情報を取得し、保持する。ステップＳ２１１においユーザ端末２は、ステップＳ２１０で取得した投稿情報と、投稿対象のストーリーのストーリーＩＤとを対応づけて、コンテンツ配信サーバ１に送信する。コンテンツ配信サーバ１は、ステップＳ２１２において、受信した投稿情報とストーリーＩＤとを対応づけてイラスト投稿データ１５およびレビュー投稿データ１６を更新する。ステップＳ２１３においてコンテンツ配信サーバ１は、投稿情報を受領した旨の確認をユーザ端末２に送信し、ユーザに通知する。
【００８５】
このように本発明の実施の形態に係るコンテンツ配信システム５は、複数のストーリーを含む仮想的なマガジンを、ユーザ端末２に逐次配信し、作品を連載させることができる。これによりコンテンツ配信システム５は、仮想的なマガジンを低コストで配信することを可能にするとともに、ユーザは、低コストで逐次刊行物を閲覧することが可能となる。また作家は、自身の作品をより多くのユーザに閲覧してもらう機会を得ることができる。一つのシリーズを複数のストーリーにわけ、マガジンが各シリーズの１つのストーリーを収容して配信することにより、ユーザに新たなコンテンツを閲覧させやすく導くことができる。
【００８６】
さらに本発明の実施の形態に係るコンテンツ配信システム５は、ストーリーを全て閲覧した後、ユーザ端末２に閲覧されたストーリーの投稿情報を提供するとともに、ユーザに投稿情報を入力させるよう促す。換言すると本発明の実施の形態に係るコンテンツ配信システム５は、リアルタイムで投稿情報を提供し、また入力させることにより、新鮮な投稿情報を保持し、作家に提供することを可能とする。従って、作家は、このような投稿情報に基づいてユーザの反応を素早く自身の作品に反映させることができる。また、ユーザからより多くの投稿情報を収集することを可能とするので、作家のモチベーションを向上させることができる。
【００８７】
このように本発明の実施の形態に係るコンテンツ配信システム５は、作家及びユーザの双方に好適な形式でコンテンツを配信することができる。
【００８８】
（その他の実施の形態）
上記のように、本発明の実施の形態によって記載したが、この開示の一部をなす論述および図面はこの発明を限定するものであると理解すべきではない。この開示から当業者には様々な代替実施の形態、実施例および運用技術が明らかとなる。
【００８９】
例えば、本発明の実施の形態に記載したコンテンツ配信サーバは、図１に示すように一つのハードウェア上に構成されても良いし、その機能や処理数に応じて複数のハードウェア上に構成されても良い。また、既存のコンテンツ配信システム上に実現されても良い。
【００９０】
本発明はここでは記載していない様々な実施の形態等を含むことは勿論である。従って、本発明の技術的範囲は上記の説明から妥当な特許請求の範囲に係る発明特定事項によってのみ定められるものである。
【符号の説明】
【００９１】
１  コンテンツ配信サーバ
２  ユーザ端末
３  作家端末
４  通信ネットワーク
５  コンテンツ配信システム
１０  記憶装置
１１  マガジン属性データ
１２  ストーリー属性データ
１３  作家データ
１４  シリーズデータ
１５  イラスト投稿データ
１６  レビュー投稿データ
２０  処理制御装置
２１  ストーリー登録手段
２２  マガジン検索手段
２３  マガジン配信手段
２４  投稿処理手段
２０１  マガジン閲覧手段
２０２  投稿手段
【図１】
2015108936.tif 000003
【図２】
2015108936.tif 000004
【図３】
2015108936.tif 000005
【図４】
2015108936.tif 000006
【図５】
2015108936.tif 000007
【図６】
2015108936.tif 000008
【図７】
2015108936.tif 000009